(57)【要約】  フローセル（２）は、平面視略矩形の板状の本体（２１）と、この本体（２１）上面に形成された凹部からなる導入部（２２）と、本体（２１）内部に形成され、導入部（２２）の下端に一端が接続された流路（２３）と、本体（２１）に形成された凹部からなり、下端に流路（２３）の他端が接続された導出部（２４）とを備えている。ここで、導入部（２２）は、開口から導入された液体のメニスカスによってその液体に、正圧、または、流路（２３）に導入されたその液体によって液体に働く負圧よりも絶対値の小さい負圧を生じさせるように形成されている。流路（２３）は、流路（２３）内に導入された液体のメニスカスによって液体に負圧を生じさせるように形成されている。  微量な液体の送液を制御をより容易に行うことができるフローセル、および、送液システムを提供する。
2015119072.tif 000002
【特許請求の範囲】
【請求項１】
本体と、
この本体に形成された凹部と、
前記本体内に形成され、一端が前記凹部の内壁面に開口し、他端が前記本体の外部に開口する流路と
を有し、
前記流路は、当該流路内に導入された液体のメニスカスによって前記液体に負圧を生じさせ、
前記凹部は、当該凹部内に導入された液体のメニスカスによって前記液体に、正圧、または、前記流路内に導入された前記液体のメニスカスによって前記液体に働く負圧より絶対値の小さい負圧を生じさせる
ことを特徴とするフローセル。
【請求項２】
前記凹部に導入される液体の流れる方向と直交する方向の断面積は、前記流路に導入される液体の流れる方向と直交する方向の断面積よりも大きい
ことを特徴とする請求項１に記載のフローセル。
【請求項３】
前記流路の内壁面は、親水性に形成され、
前記凹部の内壁面は、疎水性に形成される
ことを特徴とする請求項１記載のフローセル。
【請求項４】
前記流路の内壁面は、親水性に形成され、
前記凹部の内壁面は、親水性に形成される
ことを特徴とする請求項２記載のフローセル。
【請求項５】
負圧を生じるポンプと、
本体と、この本体に形成された凹部と、前記本体内に形成され、一端が前記凹部の内壁面に開口し、他端が前記本体の外部に開口する流路とを有するフローセルと、
前記ポンプと前記フローセルの前記流路の他端とを接続する管と
を備え、
前記流路は、当該流路内に導入された液体のメニスカスによって前記液体に負圧を生じさせ、
前記凹部は、当該凹部内に導入された液体のメニスカスによって前記液体に働く圧力が、正圧、または、前記流路内に導入された前記液体のメニスカスによって前記液体に働く負圧より絶対値の小さい負圧を生じさせ、
前記ポンプは、前記流路内に導入された前記液体のメニスカスによって前記液体に働く負圧よりも絶対値が小さく、前記凹部内に導入された液体のメニスカスによって前記液体に働く負圧よりも絶対値が大きい一定の負圧を生じる
ことを特徴とする送液システム。
【発明の詳細な説明】
【技術分野】
【０００１】
本発明は、フローセルおよび送液システムに関するものである。
【背景技術】
【０００２】
臨床検査や生化学分野での検査では各種測定が行われるが、このときの測定対象の試料溶液は微量な場合が多い。このため、マイクロＴＡＳ（Total Analysis Systems）やLab on a Chipなど、小さなチップで微量の液体の流れを制御することにより、高感度に測定する技術が提案されている。【０００３】
このような技術では、蛍光測定、吸光測定、電気化学測定、ＱＣＭ（Quartz Crystal Microbalance）測定、ＡＴＲ（Attenuated Total Reflection）測定、ＳＰＲ（surface plasmon resonance）測定などの簡便な測定法を採用することが多い。なかでもＳＰＲ測定は検出のための検体液のラベル化が不要であり、抗原抗体反応やDNAの結合などを直接検出することができ、かつ、測定の手順も単純化することができる（例えば、特許文献１〜３、非特許文献１参照。）。また、ＳＰＲ測定は、測定領域を線状や面状にできるので、２地点の屈折率変化の時間差を測定することでその２地点間の流速を測定することもできる（例えば、特許文献４参照。）。【０００４】
これらの測定では、試料溶液を保持可能な試料セルが用いられている。試料セルに微量の試料溶液を供給して、その試料セルにおいて測定を行う検出部まで流し移送する。これにより、試料溶液に溶解または分散しているＤＮＡや抗体などの検体の濃度を低下させることなく、より高感度、高効率に測定を行うことができる。このように試料溶液を検出部へと流す試料セルは、フローセルと呼ばれている。【０００５】
フローセルで微量な試料溶液を移送する方法として、各種方法が提案されている。例えば、シリンジポンプ等によって外部から圧力をかけることによって、フローセルに形成した流路に試料溶液を移送させる方法がある。また、静電気力で移送させる方法、エレクトロウェッティング法、加熱による体積変化や気泡の生成により試料溶液を移送させる方法、電気浸透流を利用する方法などがある。【０００６】
近年では、フローセルに、試料溶液に対して毛細管現象を発現可能な流路またはポンプとなる領域を形成することにより試料溶液を移送する方法も提案されている（例えば、特許文献２参照。）。この方法では、試料溶液が導入される導入口を備えた供給部と、導入された試料溶液を吸引する毛細管ポンプを備えた移送部と、導入口と毛細管ポンプとの間に設けられた測定のための流路とを、板状のフローセルの平面方向に沿って直線上に並んで形成したフローセルが提案されている。このフローセルでは、試料溶液を導入口に供給すると、試料溶液が導入口から流路を通って毛細管ポンプに到達し、この毛細管ポンプに吸引されて連続的に流路を流れることとなる。また、流路の両端に半径の異なる液滴を形成し、液滴に生じる表面張力の大きさの違いにより、液体を移送する方法も提案されている。（例えば、非特許文献２参照。）【０００７】
このような毛細管力を利用した送液方法は、外部からの駆動力を必要としないので、パッシブポンプと呼ばれている。このパッシブポンプを有するフローセルは、送液のための周辺装置を必要としないので、ポイントオブケアなどのオンサイトでの測定に有利となる。特に、特許文献１に記載されたフローセルは、検体液がフローセル外部に流出しないので、オペレータが受けるバイオハザードの影響も少なく、測定に伴う廃棄物も少なくすることができる。また、フローセルは、１回の測定に１つを使い捨てるので、クロスコンタミネーション等の測定エラーを抑えることができる。【０００８】
このようなフローセルを作製する材料としては、リソグラフィーによる製造方法を利用するため、シリコン、石英、ガラスウエハなどが用いられてきた。フローセルにするための接着する方法として、高温にして融着する方法、陽極接合、フッ酸による接合などがある。【０００９】
また、バイオセンサとして機能させる場合には、バイオ材料をフローセル内に固定化することが併せて行われる。ところが、バイオ材料は高温、強酸、強アルカリ、有機溶剤耐性が低いため、バイオ材料を固定化した後に上述したような接合方法でフローセルを作製するとバイオセンサとして機能させることが困難となってしまう。【００１０】
そこで、近年、ポリジメチルシロキサン（polydimethylsiloxane：以下、「ＰＤＭＳ」と言う。）をフローセルの材料として用いることが研究されている。これは、ＰＤＭＳのガラスやシリコンの基板に対する自己接着力が強いため、接着のプロセスを必要とせず、基板の上に搭載するだけで簡便にフローセルを作製することができるからである。また、ＰＤＭＳは水溶液に対する接触角が９０度以上あり、疎水性である。したがって、液滴の表面張力による送液に関しては、液滴を形成するために疎水性であることは好都合であるが、あらかじめ呼び水となる溶液を導入するにはピペットなどによる強制的な送液が前準備として必要となる。これは、流路を構成する基板が親水性であっても残りの面が疎水性のＰＤＭＳであるため、外部から加圧しなければ水溶液が入っていかないためである。【００１１】
このことからも、毛細管力を駆動力とするパッシブポンプをＰＤＭＳだけで実現することは難しいことは明らかである。このため、ＰＤＭＳ表面に試薬を塗布し親水性にすることが行われるが、時間と共に親水性が失われていくといった問題点があった。そこで、ＰＤＭＳ自体に改質剤を添加し、ＰＤＭＳ自体を親水性にして血液検査用フローセルを作製した研究が行われている（例えば、非特許文献３参照。）。【００１２】
上述したようなフローセルは、現場での簡便な測定を目指した使い捨て型である。一方で、分析センター等に多くの検体液を集め大量の分析を行う需要も存在する。このような場合には、電力や水・薬液が十分に利用できる環境にあり、また測定装置に対する大きさの制約も少ない。このため、フローセルは使い捨てでなく、流路に検体液を流した後、水や洗浄液を続けて流すことにより流路を洗浄して次の検体液を流す繰り返し測定の方が測定コストを低くすることができる。【００１３】
そこで、繰り返し測定を実現するために、試料溶液が導入される導入口を備えた供給部と、試料溶液を導出する導出口を備えた排出部と、供給部と排出部との間に設けられた測定のための流路とを備えたフローセルが提案されている。このフローセルでは、ポンプにより送液を制御することが一般的である（例えば、特許文献５，６参照。）。具体的には、導出口に接続したポンプに負圧をかけて、供給部に供給した検体液や洗浄液を流路へと吸引することにより、それらの液体の送液が行われている。【００１４】
このようなフローセルで繰り返し測定を行う場合、例えばポンプに負圧をかけ続けて流路や導出部の液体を吸引しきってしまうと、次に測定する液体を供給部に液体を供給しても流路内や導出部内に気体が存在するので、その液体を吸引することが困難となってしまう。このようなときには、フローセルに呼び水を供給して流路や導出部を液体で満たさなければならないので、手間がかかる。そこで、繰り返し測定では、流路および導出部に液体が滞留した状態となるようポンプの動作を制御することが行われている。例えば、導入部内の液体が流路に流れ切った時点で、ポンプを停止させることにより、流路および導出部内に液体が滞留した状態とするようにしている。【００１５】
このような繰り返し測定は、例えば、血液凝固測定に効果的である。近年、食生活の欧米化、運動不足やストレスの蓄積、高齢化の進行などに伴う生活習慣病が大きな社会問題になっている。生活習慣病が原因となる病気として血栓症が挙げられるが、血栓症は心筋梗塞と強い相関がある。したがって、定期的な血液検査において血液凝固測定を行うことは今後ますます重要になっていく。
【先行技術文献】
【特許文献】
【００１６】
【特許文献１】特許第０４９８７０８８号公報
【特許文献２】特許第０５０４２３７１号公報
【特許文献３】国際公開第２００９／１４５１７２号
【特許文献４】特許第０４８９７０５４号公報
【特許文献５】特許第４８５３９２７号公報
【特許文献６】特開平１０−１６０６５８号公報
【非特許文献】
【００１７】
【非特許文献１】Tsutomu Horiuchi，Toru Miura，Yuzuru Iwasaki，Michiko Seyama，Suzuyo Inoue，Jun-ichi Takahashi，Tsuneyuki Haga and Emi Tamechika、“Passive fluidic chip composed of integrated vertical capillary tubes developed for on-site SPR immunoassay analysis targeting real samples.”、Sensors 12, no. 6: （2012） 7095-7108
【非特許文献２】Glenn M. Walker and David J. Beebe、“A passive pumping method for microfluidic devices”、Lab Chip ,2 （2002） 131-134
【非特許文献３】YuChang Kima，Seung-Hoon Kimb，Duckjong Kima，Sang-Jin Parka，Je-Kyun Parkb、“Plasma extraction in a capillary-driven microfluidic device using surfactant-added poly（dimethylsiloxane）”、Sens. Actuators B, 145 （2010） 861-868
【発明の概要】
【発明が解決しようとする課題】
【００１８】
しかしながら、上述したようなポンプによる送液の制御は困難なものとなっていた。これは、フローセルが微小であり、送液する液体の量も微量なので、流路や導出部内に液体が滞留した状態とするには、ポンプを繊細に操作する必要があるからである。また、ポンプによる送液の制御は、配管内の残圧等の影響も受けるので、時間的な遅延が発生したり、ウォーターハンマーを引き起こしたりするので、さらにその操作が煩雑なものとなっていた。【００１９】
そこで、本発明は、微量な液体の送液の制御をより容易に行うことができるフローセルおよび送液システムを提供することを目的とする。
【課題を解決するための手段】
【００２０】
上述したような課題を解決するために、本発明に係るフローセルは、本体と、この本体に形成された凹部と、本体内に形成され、一端が凹部の内壁面に開口し、他端が本体の外部に開口する流路とを有し、流路は、当該流路内に導入された液体のメニスカスによって前記液体に負圧を生じさせ、凹部は、当該凹部内に導入された液体のメニスカスによって液体に、正圧、または、流路内に導入された液体のメニスカスによって液体に働く負圧より絶対値の小さい負圧を生じさせることを特徴とするものである。【００２１】
また、本発明に係る送液システムは、負圧を生じるポンプと、本体と、この本体に形成された凹部と、本体内に形成され、一端が凹部の内壁面に開口し、他端が本体の外部に開口する流路とを有するフローセルと、ポンプとフローセルの流路の他端とを接続する管とを備え、流路は、当該流路内に導入された液体のメニスカスによって液体に負圧を生じさせ、凹部は、当該凹部内に導入された液体のメニスカスによって液体に、正圧、または、流路内に導入された液体のメニスカスによって液体に働く負圧より絶対値の小さい負圧を生じさせ、ポンプは、流路内に導入された液体のメニスカスによって液体に働く負圧よりも絶対値が小さく、凹部内に導入された液体のメニスカスによって液体に働く負圧よりも絶対値が大きい一定の負圧を生じることを特徴とするものである。
【発明の効果】
【００２２】
本発明によれば、ポンプにより流路の他端に、流路内に導入された液体のメニスカスによって液体に働く負圧よりも絶対値が小さく、凹部内に導入された液体のメニスカスによって液体に働く負圧よりも絶対値が大きい一定の負圧をかけた上で、凹部に液体を供給すると、凹部に導入された液体のメニスカスによって生じる負圧よりもポンプによる負圧の方が大きいので凹部に導入された液体が流路へと移動し、その凹部に導入された液体が凹部を流れ切ると、流路に導入された液体のメニスカスによって生じる負圧がポンプによる負圧よりも大きいので流路に導入された液体の移動が停止する。結果として、ポンプを繊細に操作しなくてよいので、微量な液体の送液の制御をより容易に行うことができる。
【図面の簡単な説明】
【００２３】
【図１】図１は、ＳＰＲ測定システムの構成を模式的に示す平面図である。
【図２】図２は、ＳＰＲ測定システムの一部の構成を模式的に示す正面図である。
【図３】図３は、本発明の実施の形態に係るフローセルの構成を模式的に示す斜視図である。
【図４】図４は、本発明の実施の形態に係るフローセルの構成を模式的に示す要部断面図である。
【図５Ａ】図５Ａは、本発明の実施の形態に係るフローセルの製造方法を説明するための断面図である。
【図５Ｂ】図５Ｂは、本発明の実施の形態に係るフローセルの製造方法を説明するための断面図である。
【図５Ｃ】図５Ｃは、本発明の実施の形態に係るフローセルの製造方法を説明するための断面図である。
【図５Ｄ】図５Ｄは、本発明の実施の形態に係るフローセルの製造方法を説明するための断面図である。
【図５Ｅ】図５Ｅは、本発明の実施の形態に係るフローセルの製造方法を説明するための断面図である。
【図５Ｆ】図５Ｆは、本発明の実施の形態に係るフローセルの製造方法を説明するための断面図である。
【図５Ｇ】図５Ｇは、本発明の実施の形態に係るフローセルの製造方法を説明するための断面図である。
【図６Ａ】図６Ａは、ＳＰＲ測定システムによる測定動作を説明するための図である。
【図６Ｂ】図６Ｂは、ＳＰＲ測定システムによる測定動作を説明するための図である。
【図６Ｃ】図６Ｃは、ＳＰＲ測定システムによる測定動作を説明するための図である。
【図６Ｄ】図６Ｄは、ＳＰＲ測定システムによる測定動作を説明するための図である。
【図７】図７は、純水とリン酸緩衝溶液を交互に供給したときの流速の測定結果を示す図である。
【図８】図８は、血液凝固測定の測定結果を示す図である。
【図９】図９は、血液凝固測定の測定結果を示す図である。
【発明を実施するための形態】
【００２４】
以下、図面を参照して本発明の実施の形態について詳細に説明する。なお、本実施の形態は、ＳＰＲ測定システムに適用した場合を例に説明する。
【００２５】
＜ＳＰＲ測定システムの構成＞
図１、図２に示すように、本実施の形態に係るＳＰＲ測定システムは、検体や試薬を選択的に供給する分注器１と、この分注器１から検体や試薬が供給されるフローセル２と、このフローセル２を用いてＳＰＲ測定を行うＳＰＲ測定装置３と、一定の負圧を生じさせるポンプ４と、フローセル２とポンプ４との間に設けられ、フローセル２にかけられる圧力を調整する圧力調整容器５とを備えている。
【００２６】
フローセル２は、図３，図４に示すように、平面視略矩形の板状の本体２１と、この本体２１上面に形成された凹部からなる導入部２２と、本体２１内部に形成され、導入部２２の下端に一端が接続された流路２３と、本体２１に形成された凹部からなり、下端に流路２３の他端が接続された導出部２４とを備えている。なお、導入部２２に導入される液体の流れる方向と直交する方向の断面積（以下、これを「導入部２２の断面積」と呼ぶ。）は、流路２３に導入される液体の流れる方向と直交する方向の断面積（以下、これを「流路２３の断面積」と呼ぶ。）よりも大きく形成されている。
【００２７】
本体２１は、例えば樹脂材料から形成されている。
導入部２２は、一端が本体２１の上面に開口し、他端が封鎖された円筒状（円管）に形成された流路である。導入部２２の内壁面は、フローセル２に導入される液体に対して、疎水性を有する材料または親水性を有する材料で形成されている。この導入部２２の開口から導入された液体のメニスカスによってその液体に働く圧力は、当該導入部２２の内壁面が疎水性の場合には正圧、または、その内壁面が親水性の場合には負圧となる。さらに、導入部２２の断面積が流路２３の断面積よりも大きく形成されているため、流路２３に導入されたその液体によって液体に働く負圧よりも導入部２２に導入された液体によって液体に働く負圧の方が絶対値の小さい負圧となるように形成されている。
【００２８】
ここで、メニスカスによって液体に働く正圧とは、導入部２２および流路２３に導入された液体の導入側部分において吐出方向に圧力をかける力、言い換えると、液体の気液界面に対して液体側に向かう方向にその液体に圧力をかける力である。一方、メニスカスによって液体に働く負圧とは、導入部２２および流路２３に導入された液体の導入側部分において吸引方向に圧力をかける力、言い換えると、液体の気液界面に対して気体側に向かう方向にその液体に圧力をかける力である。
【００２９】
円筒状の導入部２２に形成されるメニスカスによる圧力Ｐｒは、下式（１）で表すことができる。この下式（１）において、ｒは導入部２２の半径、θは導入部２２内壁面との接触角、γは導入部２２に導入される液体の表面張力係数を表している。
【００３０】
Ｐｒ＝−（２γ／ｒ）ｃｏｓθ  ・・・（１）
【００３１】
例えば、導入部２２に水（γ＝７２．７５×１０−３［Ｎ／ｓ］）が供給され、導入部２２の半径ｒが３［ｍｍ］、導入部２２内壁面が親水性（接触角θ＝６０［°］）の場合、圧力Ｐｒは−２４．２５［Ｐａ］となる。これは、導入部２２に形成されたメニスカスにより導入部２２に導入された水に２４．２５［Ｐａ］の負圧がかかっており、その水を流路２３の方向に移動させるには、流路２３の側、すなわちポンプ４が２４．２５［Ｐａ］以上の負圧で吸引する必要があることを意味している。
【００３２】
流路２３は、本体２１の上面に平行な方向に延在する、断面矩形の管である。流路２３の一端は、導入部２２底部の内壁面に開口し、他端は導出部２４底部の内壁面に開口している。この流路２３の内壁面は、流路２３内に導入された液体のメニスカスが負圧を生じさせるように形成されている。具体的には、流路２３の内壁面は、フローセル２に供給される液体に対して親水性を有する材料で形成されている。したがって、親水性の流路２３内に液体が導入されてメニスカスが形成されると、その液体にはそのメニスカスによって負圧がかかることとなる。
【００３３】
ここで、断面略矩形の流路２３に形成されるメニスカスによる圧力Ｐｃは、下式（２）で表すことができる。この下式（２）において、ｄは流路２３の厚さ、ｗは流路２３の幅、θｔは流路２３上面の接触角、θｂは流路２３下面の接触角、θｌは流路２３左面の接触角、θｒは流路２３右面の接触角を表している。
【００３４】
Ｐｃ＝−γ｛（ｃｏｓθｌ／ｄ）＋（ｃｏｓθｂ／ｄ）＋（ｃｏｓθｌ／ｗ）＋（ｃｏｓθｒ／ｗ）｝  ・・・（２）
【００３５】
各面の接触角θが同一であるとすると、上式（２）は下式（３）と表すことができる。
【００３６】
Ｐｃ＝−２γｃｏｓθ｛（１／ｄ）＋）１／ｗ）｝  ・・・（３）
【００３７】
例えば、流路２３に水（γ＝７２．７５×１０−３［Ｎ／ｓ］）が供給され、流路２３の厚さが０．０７５［ｍｍ］、幅が１［ｍｍ］、流路２３の内壁面が親水性（接触角θ＝６０［°］）の場合、圧力Ｐｒは−１０４２．７５［Ｐａ］となる。これは、流路２３に形成されたメニスカスによって流路２３に導入された水に１０４２．７５［Ｐａ］の負圧がかかっており、その水を導出部２４の方向に移動させるには、導出部２４の側、すなわちポンプ４が１０４２．７５［Ｐａ］以上の負圧で吸引する必要があることを意味している。
【００３８】
導出部２４は、一端が本体２１の上面に開口し、他端が封鎖された円筒形状（円管）に形成された流路である。この導出部２４には、一端が圧力調整容器５に接続された管５１の他端が接続されている。
【００３９】
なお、本実施の形態において、フローセル２は、ＳＰＲ測定に用いる場合は、流路２３の下面の少なくとも一部にＡｕ等からなる検出部（図示せず）が設けられている。
このようなフローセル２の製造方法については後述する。
【００４０】
ＳＰＲ測定装置３は、ＳＰＲ法により測定を行う装置である。本実施の形態では、ＳＰＲ測定装置３上に配置されたフローセル２の流路２３を流れる液体に対して測定を行う。
【００４１】
ポンプ４は、一定の負圧を生じさせるポンプであり、管４１、圧力調整容器５および管５１を介してフローセル２の導出部２４と接続されている。ここで、一定の負圧は、内壁面が親水性に形成された流路２３内に導入された液体のメニスカスによって液体に働く負圧よりも絶対値が小さく、内壁面が親水性に形成された導入部２２内に導入された液体のメニスカスによってその液体に働く負圧よりも絶対値が大きい一定の値である。なお、内壁面が疎水性に形成された導入部２２に導入した液体によって導入部２２に形成されたメニスカスによってその液体に正圧がかかる場合でも、ポンプ４の負圧の値は、その液体が流路２３内に導入された液体のメニスカスによって液体に働く負圧よりも絶対値が小さくなるように設定される。
【００４２】
ここで、ポンプ４が生じさせる負圧は、導入部２２または流路２３に導入される液体によってそれらに形成されるメニスカスによってその液体に働く負圧とともに同じ“負圧”ではあるが、圧力をかける方向が異なるものとなっている。すなわち、ポンプ４が生じさせる負圧は、導入部２２に供給された液体を流路２３に向かって吸引する方向の圧力である。一方、導入部２２または流路２３に形成されるメニスカスによる負圧は、流路２３内の液体の場合、この液体を導入部２２に向かって吸引する方向の圧力である。
【００４３】
圧力調整容器５は、筒状の中空容器からなり、上端には管４１の他端と、他端がフローセル２の導出部２４に接続された管５１の一端とが接続されている。このような圧力調整容器５は、管５１内の液体で生じる圧力差をキャンセルし、ポンプ４を正常に動作させるものである。
【００４４】
＜フローセルの製造方法＞
次に、本実施の形態に係るフローセル２の製造方法の一例について、図５Ａ〜図５Ｇを参照して説明する。
【００４５】
まず、流路２３の形状に対応する鋳型を作成するために、図５Ａに示すように、シリコンウエハ１００を用意し、このシリコンウエハ１００上にレジスト１０１を形成する。例えば、シリコンウエハ１００は、レジスト１０１を塗布する前に、硫酸過水洗浄、いわゆるピラニア洗浄を３０分行った後、２００℃で２０分乾燥させたものを用意する。また、レジスト１０１には厚膜レジストＳＵ８を用い、これをスピンコート法によりシリコンウエハ１００上に塗布すればよい。
【００４６】
続いて、図５Ｂに示すように、フォトリソグラフィ法により、シリコンウエハ１００上に流路２３の形状に対応する鋳型１０２を作成する。例えば、図５Ａに示すようにレジスト１０１が塗布されたシリコンウエハ１００に対して、６５℃で３０分、９５℃で２７０分で順次ベークし、アライナーで露光した後、９５℃で９０分ポストベークする。そして、ＳＵ８用現像液で現像した後、イソプロピルアルコール・アセトンでリンスを行い、周辺部に外枠を取り付けて鋳型を完成させればよい。なお、本実施の形態において、流路２３に対応する部分の鋳型のサイズは、厚さ０．０７５［ｍｍ］、幅１［ｍｍ］、長さ９［ｍｍ］である。
【００４７】
鋳型１０２を作成すると、図５Ｃに示すように、鋳型１０２が作成されたシリコンウエハ１００上に親水性ＰＤＭＳ１０３を塗布する。
例えば、親水性ＰＤＭＳ１０３には、固化前の疎水性ＰＤＭＳにポリエーテル変性シリコン（トリシロキサンエトキシレート）（SILWET L-77）を重量比で１パーセント添加し、減圧脱泡したものを用いることができる。固化前の疎水性ＰＤＭＳは、ＰＤＭＳベース（SYLGARD 184）と重合開始剤を１０：１の割合で混合して減圧脱泡したものである。親水性ＰＤＭＳ１０３の塗布は、マイクロディスペンサ、刷毛などを用いる方法、凹版、凸版、平版、孔版などの印刷技術を用いればよい。
【００４８】
親水性ＰＤＭＳ１０３を塗布した後、図５Ｄに示すように、この親水性ＰＤＭＳ１０３上に疎水性ＰＤＭＳ１０４を形成する。
例えば、疎水性ＰＤＭＳ１０４は、親水性ＰＤＭＳ１０３上に厚さ約３［ｍｍ］で一様に形成した後、１２０分加熱して固化させればよい。
【００４９】
疎水性ＰＤＭＳ１０４が固化すると、図５Ｅに示すように、シリコンウエハ１００および鋳型１０２と、流路２３に対応する溝１０５が形成された親水性ＰＤＭＳ１０３およびこの親水性ＰＤＭＳ１０３上に設けられた疎水性ＰＤＭＳ１０４とを分離する。
続いて、図５Ｆに示すように、溝１０５の両端に、この溝１０５と疎水性ＰＤＭＳ１０４の上面とを連通する貫通孔１０６を形成する。この貫通孔１０６は、導入部２２または導出部２４に対応する。例えば、導入部２２に対応する貫通孔１０６は直径３［ｍｍ］、導出部２４に対応する貫通孔１０６は直径１．５［ｍｍ］に形成する。
【００５０】
貫通孔１０６を形成すると、図５Ｇに示すように、ＳＰＲ基板１０７を用意し、この上面に親水性ＰＤＭＳ１０３の下面を接着する。これにより、フローセル２が完成する。
ここで、ＳＰＲ基板１０７は、ＳＰＲ測定装置３上に載置する基板であって、ＢＫ７ガラス基板１０８上にチタン薄膜１０９と金薄膜１１０を順にスパッタ蒸着したものである。例えば、接着は、酸素雰囲気中での反応性イオンエッチング（パワー７０［Ｗ］、酸素分圧１０［Ｐａ］、流量１００［ｓｃｃｍ］、５秒）で親水性ＰＤＭＳ１０３の上面とＳＰＲ基板１０７の上面を活性化し、これらの面を貼り合わせる。
【００５１】
作成したフローセル２において、流路２３の内壁面は、親水性ＰＤＭＳ１０３で形成されているので、親水性になっている。したがって、流路２３に流入した液体には、メニスカスが形成された場合、そのメニスカスによって負圧がかかることとなる。
一方、導入部２２および導出部２４の内壁面は、疎水性ＰＤＭＳ１０４からなるので、疎水性になっている。したがって、導入部２２および導出部２４に流入した液体には、メニスカスが形成された場合、そのメニスカスによって正圧がかかることとなる。
【００５２】
＜ＳＰＲ測定システムによる測定動作＞
次に、このような製造方法によって作成されたフローセル２を備えたＳＰＲ測定システムによる測定動作について、図６Ａ〜図６Ｄを参照して説明する。
なお、本実施の形態では、純水αとリン酸緩衝容液βを交互にフローセル２に流して、それぞれの流速を測定する場合を例に説明する。例えば、分注器１として武蔵エンジニアリング社製自動分注器PIPETMASTER-200S、ＳＰＲ測定装置としてNTT-AT社製smart SPR、ポンプ４としてFluigent社製のポンプMFCS-VACを用いることができる。
【００５３】
まず、予め導入部２２の開口から呼び水を注入し、流路２３および導出部２４が水で満たされた状態としておく。この状態にした後、ポンプ４の圧力を一定の負圧に設定し、図６Ａに示すように、分注器１によりフローセル２の導入部２２の開口に純水αを導入する。
【００５４】
本実施の形態において、ポンプ４の圧力は、−１００［Ｐａ］に設定した。
また、分注器１によりフローセル２の導入部２２の開口に、０．０１［ｍｌ］の純水αを導入した。本実施の形態において、導入部２２の容積は約０．０２［ｍｌ］なので、図６Ｂに示すように、純水αは導入部２２の開口からあふれることはない。
このとき、導入部２２の内壁面は、疎水性ＰＤＭＳ１０４で形成されている。したがって、導入部２２に注入された液体で形成されるメニスカスｍ１は、凸状となり、その液体に対して正圧、すなわち、流路２３に向かって移動させる力をかける。
【００５５】
このように、導入部２２に形成されるメニスカスによる圧力（正圧）と、ポンプ４からの圧力（負圧）により、導入部２２に注入された純水αは、導入部２２から流路２３へと移動してゆく。流路２３に移動した純水αは、流路２３を通過した後、導出部２４を通り管５１から圧力調整容器５に導入される。
【００５６】
導入部２２に注入された純水αが全て流路２３に流れ込み、流路２３の導入部２２側の端部近傍にメニスカスｍ２が形成されると、図６Ｃに示すように、純水αの移動が停止する。これは、流路２３に形成されたメニスカスｍ２による圧力（負圧）の方が、ポンプ４による圧力（負圧）よりも大きいからである。
このとき、流路２３に形成されるメニスカスｍ２による圧力とポンプ４による圧力は何れも負圧であるが、上述したように吸引する方向が異なる、すなわち、メニスカスｍ２は流路２３内の液体を導入部２２に向かう方向に吸引し、ポンプ４は流路２３内の液体を導出部２４に向かう方向に吸引する。このため、メニスカスｍ２による圧力の方がポンプ４による圧力よりも大きいので、液体（純水α）の移動が停止することとなる。
【００５７】
純水αの移動が停止すると、図６Ｄに示すように、分注器１によりフローセル２の導入部２２の開口にリン酸緩衝溶液βを導入する。本実施の形態では、０．０１［ｍｌ］のリン酸緩衝溶液βを導入する。
すると、流路２３の導入部２２側の端部に純水αが形成していたメニスカスｍ２が、リン酸緩衝溶液βの導入とともに消失するので、そのメニスカスｍ２により生じていた負圧がなくなる。一方、導入部２２には、リン酸緩衝溶液βによりメニスカスｍ３が形成される。これにより、そのメニスカスｍ３による力（正圧）と、ポンプ４からの圧力（負圧）により、導入部２２に注入されたリン酸緩衝溶液βは、導入部２２から流路２３へと移動してゆく。この場合、導入部２２の内壁面が疎水性となっているため、親水性の場合に比べてリン酸緩衝溶液βの流速が速くなり、その内壁面にリン酸緩衝溶液βの汚れが付着し難くなる。
【００５８】
このとき、純水αとリン酸緩衝溶液βの屈折率は大きく異なるので、ＳＰＲ測定装置３でそれらの液体の境界を観測することができる。本実施の形態で使用したＳＰＲ測定装置３は、流路２３の流れ方向に３．５［ｍｍ］の観測領域を備えているので、液体の境界がその観測領域を横切る時間を測定することで、液体の流速を求めることができる。
【００５９】
そして、リン酸緩衝溶液βも純水αの場合と同様に、導入部２２を流れ切ると、流路２３の導入部２２側の端部で停留することになる。このように、導入部２２に液体を導入すると、自動的にその液体が流路２３に向かって移動し、導入部２２を流れ切ると、その移動が自動的に停止する。これにより、従来のようにポンプを繊細に制御しなくても、導入部２２に液体を供給するだけで、微量の液体の送液の制御を行うことができる。また、従来のようにポンプを繊細に制御しなくても、流路２３および導出部２４に液体が滞留した状態とすることができる。これにより、呼び水を再度供給する手間を省くこともできる。
【００６０】
そして、引き続き、純水α、そしてリン酸緩衝溶液βの順番で交互に導入部２２に注入することにより、純水αとリン酸緩衝溶液βを繰り返して測定することができる。
【００６１】
このような手順で純水αとリン酸緩衝溶液βを交互に導入部２２に供給して境界の移動速度を繰り返し（２０回）測定したときの測定結果を図７に示す。この図７に示すように、境界の移動速度、すなわち、流路２３を流れる液体の流速は、ほぼ一定の値を示している。
このように、導入部２２に液体を供給するだけで、従来のようにポンプによる微量な流体の送液を制御しなくても、流路２３に液体を一定の速度で流すことができる。
【００６２】
＜血液凝固測定＞
次に、本実施の形態による血液凝固測定について説明する。
【００６３】
血液の止血作用を担う凝固因子にプロトロンビンがある。このプロトロンビンによる凝固能の評価にプロトロンビン時間が用いられる。プロトロンビン時間の測定は、肝機能検査(肝硬変、肝臓がん)や、心筋梗塞や脳梗塞等の手術の際の抗凝固剤投与量を決定する際の指標として利用される。従来では、血漿が試薬により凝固するまでの時間を測定するが、フローセル内で凝固測定を行うと流路が目詰まりしてしまい、繰り返し測定ができなかった。しかしながら、本実施の形態では、以下の手順で測定を行うことにより、繰り返し測定を行うことができる。
【００６４】
まず、分注器１のリザーバーに血漿(活性化率100%)、凝固活性化剤、流路洗浄液、純水を予め必要量用意し、フローセル２の導入部２２の開口に、流路用洗剤、純水を順番に必要量導入する。続いて、凝固活性化剤を供給した後、これを流路２３中に停留させておく。この状態から、血漿を導入部２２より導入すると共にＳＰＲ測定装置３により測定を開始する。すると、血漿と流路２３中の凝固活性化剤の界面(導入部２２と流路２３の接続部分)において凝固反応が開始するが、凝固活性剤が血漿の導入と共に流路２３中を流れ始めるので、流路２３が目詰まりすることはない。
【００６５】
このとき、ＳＰＲ測定装置３においては、凝固活性化剤と血漿の界面の通過時間(流速)を測定することができる。再び上述した流路用洗剤の導入から同様の操作を行えば、繰り返し測定が可能となる。
【００６６】
このような手順で血液凝固測定を繰り返し（１０回）測定したときの測定結果を図８に示す。この図８に示すように、流速は約４．５［ｍｍ／ｓ］でほぼ一定の値を示している。
【００６７】
また、同様の測定を活性化率が異なる血漿で行って比較した結果を図９に示す。活性化率が３３％の血漿では流速が６．６［ｍｍ／ｓ］、活性化率８６％の血漿では５．４［ｍｍ／ｓ］であった。活性化率が１００％の図８の測定結果と比較すると、活性化率が高い血漿ほど凝固しやすく、流速が低く測定されることが示され、血液凝固能測定の有効な指標となることがわかる。
【００６８】
以上説明したように、本実施の形態によれば、ポンプ４により流路２３の他端に、流路２３内に導入された液体のメニスカスによって液体に働く負圧よりも絶対値が小さく、導入部２２内に導入された液体のメニスカスによって液体に働く負圧よりも絶対値が大きい一定の負圧をかけた上で、導入部２２に液体を供給すると、導入部２２に導入された液体のメニスカスによって生じる負圧よりもポンプ４による負圧の方が大きいので導入部２２に導入された液体が流路２３へと移動し、導入部２２に導入された液体が導入部２２を流れ切ると、流路２３に導入された液体のメニスカスによって生じる負圧がポンプ４による負圧よりも大きいので流路２３に導入された液体の移動が停止する。結果として、ポンプ４を繊細に操作しなくてよいので、微量な液体の送液の制御をより容易に行うことができる。
【００６９】
なお、本実施の形態では、ＳＰＲ測定システムに適用した場合を例に説明したが、フローセルの流路内を送液する微量の液体について測定を行うシステムであれば、各種システムに適用できることは言うまでもない。
【００７０】
また、本実施の形態では、流路２３の全体を親水性とする場合を例に説明したが、少なくとも導入部２２との接続部近傍のみが親水性であればよい。
【００７１】
さらに、本実施の形態では、導入部２２の内壁面を疎水性ＰＤＭＳ１０４により形成し、流路２３の内壁面を親水性ＰＤＭＳ１０３により形成するようにした場合について述べたが、本発明はこれに限らず、導入部２２の内壁面および流路２３の内壁面の双方を親水性ＰＤＭＳ１０３により形成するようにしてもよい。
【００７２】
この場合、流路２３の導入部２２側の端部に純水αが形成していた凹状のメニスカスｍ２が、導入部２２から供給されたリン酸緩衝溶液βにより消失するので、そのメニスカスｍ２（図６参照）により流路２３に生じていた導入部２２側への負圧が無くなると同時に、親水性の導入部２２にはリン酸緩衝溶液βによる新たな凹状のメニスカスが形成される。ここで、導入部２２の断面積が流路２３の断面積よりも大きいことから、流路２３に形成されたメニスカスｍ２による力（負圧）よりも導入部２２に形成された新たなメニスカスによる力（負圧）の方が小さくなる。したがって、導入部２２の新たなメニスカスによる力（負圧）よりもポンプ４からの圧力（負圧）の方が大きくなるので、導入部２２に注入されたリン酸緩衝溶液βが導入部２２から流路２３へと移動することになる。
【００７３】
さらに、本実施の形態では、導入部２２の断面積が流路２３の断面積よりも大きく形成されているようにした場合について述べたが、本発明はこれに限らず、導入部２２の内壁面が疎水性の場合、当該導入部２２には凸状のメニスカスｍ３が形成されるので、導入部２２の断面積が流路２３の断面積よりも小さく若しくは同等に形成されるようにしてもよい。
【産業上の利用可能性】
【００７４】
本発明は、フローセルを用いる各種装置や方法に適用することができる。
【符号の説明】
【００７５】
１…分注器、２…フローセル、３…ＳＰＲ測定装置、４…ポンプ、５…圧力調整容器、２１…本体、２２…導入部、２３…流路、２４…導出部、５１…管。
【図１】
2015119072.tif 000003
【図２】
2015119072.tif 000004
【図３】
2015119072.tif 000005
【図４】
2015119072.tif 000006
【図５Ａ】
2015119072.tif 000007
【図５Ｂ】
2015119072.tif 000008
【図５Ｃ】
2015119072.tif 000009
【図５Ｄ】
2015119072.tif 000010
【図５Ｅ】
2015119072.tif 000011
【図５Ｆ】
2015119072.tif 000012
【図５Ｇ】
2015119072.tif 000013
【図６Ａ】
2015119072.tif 000014
【図６Ｂ】
2015119072.tif 000015
【図６Ｃ】
2015119072.tif 000016
【図６Ｄ】
2015119072.tif 000017
【図７】
2015119072.tif 000018
【図８】
2015119072.tif 000019
【図９】
2015119072.tif 000020
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
負圧を生じるポンプと、
本体と、この本体に形成された凹部と、前記本体内に形成され、一端が前記凹部の内壁面に開口し、他端が前記本体の外部に開口する流路とを有するフローセルと、
前記ポンプと前記フローセルの前記流路の他端とを接続する管と
を備え、
前記流路は、当該流路内に導入された液体のメニスカスによって前記液体に負圧を生じさせ、
前記凹部は、当該凹部内に導入された液体のメニスカスによって前記液体に働く圧力が、正圧、または、前記流路内に導入された前記液体のメニスカスによって前記液体に働く負圧より絶対値の小さい負圧を生じさせ、
前記ポンプは、前記流路内に導入された前記液体のメニスカスによって前記液体に働く負圧よりも絶対値が小さく、前記凹部内に導入された液体のメニスカスによって前記液体に働く負圧よりも絶対値が大きい一定の負圧を生じる
ことを特徴とする送液システム。
【国際調査報告】
2015119072.tif 000021
2015119072.tif 000022
2015119072.tif 000023
2015119072.tif 000024